(57)【要約】【課題】剣型ネクタイに対して、縦プリーツを形成するのに適した製造方法を提供すると共に、ネクタイのデザインを容易に変化させることができるネクタイの製造方法を提供することである。【解決手段】  一般的剣型ネクタイは３枚のバイスどりの布を縫合して製造されているが、本発明の剣型縦プリーツネクタイは、バイアスどりで得た３枚の布と、縦プリーツ加工し大剣型に裁断した布の合計４枚を接合縫製する製造技術を特徴とする。縦プリーツに対してストライプを施すことにより、多様な模様を実現できる。【選択図】    図４
2006144212.tif 000002
【特許請求の範囲】
【請求項１】
バイアスどりすることによって得た３枚の布及び縦プリーツ加工し大剣型に裁断した布を用意し、前記４枚の布を接合縫製することによってプリーツを有するネクタイを製造することを特徴とするネクタイの製造法。
【請求項２】
前記縦プリーツ加工された布は、前記ネクタイを絞めた時、前に出る大剣部分にのみに縦プリーツが現れる長さを有していることを特徴とする、請求項１記載のネクタイの製造法。
【請求項３】
縦プリーツを施した布に、所定幅のストライプを形成する一方、ストライプの幅と、ストライプ間の間隔との比を選択することにより、プリーツ加工されたネクタイの模様を変化させることを特徴とする請求項１又は２記載のネクタイの製造法。
【発明の詳細な説明】
【技術分野】
【０００１】
本発明は、一般的剣型ネクタイとは一線を画す剣型縦プリーツネクタイの製造法に関する。
【背景技術】
【０００２】
一般的剣型ネクタイの形状は、幅、長さ、色、柄等が流行によって変化するのみであった。
【０００３】
現在、市販されている剣型ネクタイは高額品も廉価品も基本形態は同一で、背広同様最も完成度の高いものである。そのため表面の色、柄、織り、素材等の競合のみで、世界中の剣型ネクタイの基本構造に変化はない。
【０００４】
素材の扱いとして、ネクタイを絞めるためには布地の伸縮性がなければならない。そのため剣型ネクタイは布目を斜めにとる、いわゆるバイアスどりで製造される。
【０００５】
一般的剣型ネクタイは３枚のバイアスどりの布を縫合して１本のネクタイが完成する。３枚の布とは、小剣（後ろ部分）、中つなぎ（首まわり部分）、大剣（結び目、及び、前に出る部分）である。
【０００６】
現在世界中の一流ブランドネクタイが日本の高級ネクタイ市場を席巻しているが、ネクタイを裏返してネームを見なければ、ブランド品も一般品も区別がつきにくい現状である。
【０００７】
一方、剣型ネクタイの基本構造を変えるものとして、実開昭６２−１８６９２４号公報（特許文献１）には、大剣部分全体に縦プリーツを施したネクタイが提案されている。特許文献１に示されたネクタイは、プリーツ部分を含め一般的剣型ネクタイと同じバイアスどりした布を３枚縫合してできている。この方法では、バイアスどりのため斜めプリーツの製造は可能であるが、縦プリーツのネクタイを製造することは実際には困難である。このことは、特許文献１に示されたネクタイが実用化されていないことからも明らかである。
【０００８】
更に、特許文献１のようにノット（結び目）部分までプリーツのあるネクタイを絞めると、プリーツの部分に伸び歪みくずれが生じネクタイを美しく絞めることができない。
【０００９】
また、特許文献１は、プリーツを有するネクタイの製造方法について何等開示していない。したがって、特許文献１に示されたプリーツ付ネクタイを従来の製造方法によって作製した場合、前述したように、コスト的及び技術的な困難性がある。したがって、特許文献１に開示されたプリーツ付ネクタイは、実用化された例がなく、また、販売された例も見当らない。
【００１０】
【特許文献１】実開昭６２−１８６９２４号公報
【発明の開示】
【発明が解決しようとする課題】
【００１１】
上述のごとく、一般的剣型ネクタイは、バイアスどり３枚の布の縫合によるネクタイである。このように、３枚の布の縫合では、プリーツ付ネクタイを製造することは実用化できない。更に、特許文献１は、前述したように、製造上の問題点について何等開示していない。
【００１２】
本発明は、このような点に鑑みて考案されたものであり、プリーツ付ネクタイを容易に製造できる製造方法を提供することを目的とする。
【００１３】
本発明は、デザインのバリエーションを多様化できるプリーツ付ネクタイの製造方法を提供することをもう一つの目的とする。
【００１４】
同時にネクタイ史上初の剣型縦プリーツネクタイの製造技術を完成し新たに世界市場に登場させることにある。
【課題を解決するための手段】
【００１５】
上述の課題を解決するため、先ず剣型ネクタイに縦プリーツを形成する製造法を確立したことを特徴とする。
【００１６】
この技術はネクタイの全面ではなく胸の前に出る大剣部分のみに、ネクタイの絞めるという機能を損なうことなく縦プリーツが現れるように製造することを特徴とする。
【００１７】
前記製造技術は大剣部の縦プリーツを形成した胸の前に出る部分と、バイアスどりした大剣上部（結び目）を接合縫製することにより、プリーツの無い部分を使ってネクタイを美しく絞めることができる。
【発明の効果】
【００１８】
以上説明したように本発明の製造方法によれば、剣型縦プリーツネクタイを容易に製造でき、当該縦プリーツネクタイは、一般的剣型ネクタイとは異なり、ネクタイに立体的陰影を付与し格調高い風格を形成する。これにより流行の激しいファッションの世界で、一世紀以上も基本形態に変化の無かった剣型ネクタイ市場に、美的付加価値のある新しいジャンルを開くことになる。同時に世界のメンズファッション界に多大なインパクトを与えることになる。また、プリーツ付ネクタイにストライプを施すことにより、変化に富んだ多様なネクタイを製造できる。
【発明を実施するための最良の形態】
【００１９】
以下、本発明の実施形態を図面に基づいて詳細に説明する。
【００２０】
図１は、本発明との差を比較するために示した一般的剣型ネクタイの図である。
【００２１】
図２〜図８は本発明の実施の形態に係わり、図２はその外観上部正面図。図３は外観下部の剣型縦プリーツ加工した正面図。図４は図２、図３を接合縫製し完成した剣型縦プリーツネクタイの正面図。図５は剣型縦プリーツネクタイをＹシャツの襟に装着した状態図。図６は縦プリーツの本数と剣先の形のバリエーションの例。図７は縦型プリーツ部分の拡大断面図。図８は本発明に係る布地どりを示す。図９は一般のネクタイの布地どり即ちバイアスどりを示す。
【００２２】
図１は一般的剣型ネクタイの構成図で、図９に示すように布地を全てバイアスにとることによりネクタイに伸縮性が生じ、しっかり絞めることがでできる。
【００２３】
図１の１３は小剣（後ろ部分）、１４は中つなぎ（首周り部分）、１５の上部はノット部分（結び目）で下部は大剣（前に出る部分）となる。
【００２４】
図１の１１、１２の斜めに接合縫製されている箇所の布地はバイアスどりの特徴を示している。
【００２５】
図２〜図４は本発明に係るネクタイの最も重要な特徴を示している。即ち、図２のようにバイアスどりによる布１３、１４、１５を生かしながら１５の下部をカットし、別に図３のように作成した縦プリーツの大剣１６を１７の部分で１５と接合縫製することで図４の完成となる。
【００２６】
図示された大剣１６はバイアスどりではなく図８のごとく普通の布目どりによって作製されている。このように、大剣１６を普通の布目どりによって作製することにより、図３及び図４に示すように、大剣１６に対して縦プリーツを付けることが容易になる。即ち、本発明者等の実験によれば、バイアスどりされた大剣部分に、縦プリーツを付けることは、非常に労力及び手間を要し、このため、作製されたネクタイを安価に供給することができないことが判明した。また、図３及び図４では、大剣１６の接合縫製部分１７から先端２０まで、一定の間隔で縦プリーツが形成され、プリーツは縫製部分１７から先端２０まで平行に延びている。互いに一定の間隔で平行に延びる縦プリーツは、機械加工によっても形成できるため、プリーツネクタイを量産化できると云う利点がある。
【００２７】
図７はプリーツ１６の断面を示す図であり、ネクタイの表面には、図７に示すような断面を持つ立体プリーツ１８が形成されている。
【実施例１】
【００２８】
図５は完成した剣型縦プリーツネクタイをＹシャツの襟に結んだ状態を示している。ノット部分１５の下部分に、プリーツを付けられた大剣１６が現れている。即ち、本発明のように、４つの部分からなるネクタイは、ノット部分１５にはプリーツが存在せず、大剣１６部分にのみプリーツが付けられていることが分る。ノット部分１５は伸縮性のあるバイアスどりで、しかもプリーツのない部分のため結び目をしっかり絞めることができる。この結果、プリーツの形がくずれることなく優雅で美しい形で装着できるのが、本発明に係るネクタイの最大の特徴である。図示された例では、大剣１６の長さを４５ｃｍ、縫製部分１７の縫いしろを１ｃｍ、１３、１４、及び１５の長さをそれぞれ４５ｃｍ、２８ｃｍ、２７ｃｍを標準寸法としている。図６は本発明の他の実施例に係るネクタイの装着例を示している。図６に示されたネクタイには、大剣の先端部分を丸くカットしている点で、先端部分に９０度の角度を付けた図４のネクタイと相違している。尚、図６に示されたネクタイの大剣にも、互いに平行な縦プリーツが付けられている点では、図４と同様である。
【実施例２】
【００２９】
本発明に係るネクタイのように、縦方向に延びるプリーツを有するネクタイの大剣にストライプを形成した場合、ストライプの幅と隣接したストライプ間の間隔とを変化させることにより、平面的に形成したストライプとは異なる美観を有するネクタイを得ることができる。図１０（ａ）を参照すると、プリーツを有する部分に、ストライプの幅ｗ１が１、ストライプ間の間隔ｗ２が２となるような左方向に傾斜するストライプが形成された場合が示されている。このようなストライプを形成した大剣部分によって、実際に、プリーツネクタイの大剣１６を形成すると、図１０（ｂ）に示すように、不連続なストライプが現れ、図１０（ａ）とは美観の異なるプリーツタイを形成できる。図示された例では、図の上端から下端まで、一定間隔の縦方向プリーツが形成されている。
【００３０】
図１１（ａ）を参照すると、プリーツを有する部分に、ストライプの幅ｗ１が１、ストライプ間の間隔ｗ２が５となるような左方向傾斜のストライプが形成されている。このようにストライプを備えた部分によって、プリーツネクタイの大剣１６を形成すると、図１１（ｂ）に示すように、各プリーツ部分に断続的に形成された短いストライプが形成されたネクタイが得られる。図１１（ｂ）に示されたネクタイの美観は、図１０（ｂ）に示されたネクタイの美観とも異なっている。図１１（ａ）及び（ｂ）に示されたネクタイも、大剣の上端から下端まで一定間隔の縦方向プリーツが形成されている。
【００３１】
図１２（ａ）及び（ｂ）を参照すると、図１０（ａ）及び（ｂ）と同様に、ストライプの幅ｗ１とストライプ間の間隔ｗ２とが１対２であるプリーツネクタイが示されているが、図１２（ａ）及び（ｂ）では、上端から下端の方向に、徐々に広がるようなプリーツが形成されている点で、図１０（ａ）及び（ｂ）とは相違している。
【００３２】
このように、本発明に係るプリーツネクタイでは、ストライプを付けると共に、ストライプ間の間隔を調整することによって極めて新しい感覚のネクタイを作製できる。
【００３３】
以上、本発明の実施型態を説明したが、この範囲に限定されるものでは無い。縦プリーツネクタイの基本形態は図３に示した通りであるが、縦プリーツの本数は、左右各３本を好適なサイズとして標準化する。この本数は左右各１本〜数本と変えることによる形態の変化が可能である。
【００３４】
更に、プリーツ加工可能な布であれば、プリーツの形状は直線に限らず広く扱うことができる。
【産業上の利用可能性】
【００３５】
本発明は世界中のアパレル産業分野で利用することができ、且つ、プリーツの幅、長さ、及び数等を変更することによって、従来には無い感覚のネクタイを得ることができる。また、プリーツとストライプとを組み合わせることにより、デザイン的にバリエーションを多くすることができる。
【図面の簡単な説明】
【００３６】
【図１】本発明を明確にするために、現在市販されている一般的な剣型ネクタイを対比的に示す正面図である。
【図２】剣型縦プリーツネクタイを製作するための外観上部正面図である。
【図３】剣型縦プリーツ加工した外観下部正面図である。
【図４】図２と図３を接合縫製した剣型縦プリーツネクタイの完成正面図である。
【図５】完成した剣型縦プリーツネクタイをＹシャツの襟に装着した状態を示す図である。
【図６】剣型縦プリーツネクタイのバリエーションの一例を示す図である。
【図７】剣型縦プリーツ部分の断面拡大図である。
【図８】本発明の縦プリーツ部分は布地を普通どりで使用する図である。
【図９】一般の剣型ネクタイは布地を全てバイアスどりで使用する図である。
【図１０】（ａ）及び（ｂ）は本発明の他の実施例に係るプリーツ及びストライプを備えたネクタイを説明する図である。
【図１１】（ａ）及び（ｂ）は本発明の更に他の実施例に係るプリーツ及びストライプを備えたネクタイを説明する図である。
【図１２】（ａ）及び（ｂ）は本発明の更に他の実施例に係るプリーツ及びストライプを備え、プリーツの幅を図１０の場合と変化させたネクタイを説明する図である。
【符号の説明】
【００３７】
１１、１２            一般のネクタイの接合縫製箇所
１３、１４、１５        一般のネクタイが作られる３枚のバイアスどりの布
１６                縦プリーツ加工した大剣部分
１７                縦プリーツ加工した図３の１６と図２の１５との接合縫製箇所
１８                縦プリーツ部分の断面図
１９                縦プリーツ加工した大剣部分の標準仕上がり寸法
２０                一般的剣型ネクタイの先端標準角度
【図１】
2006144212.tif 000003
【図２】
2006144212.tif 000004
【図３】
2006144212.tif 000005
【図４】
2006144212.tif 000006
【図５】
2006144212.tif 000007
【図６】
2006144212.tif 000008
【図７】
2006144212.tif 000009
【図８】
2006144212.tif 000010
【図９】
2006144212.tif 000011
【図１０】
2006144212.tif 000012
【図１１】
2006144212.tif 000013
【図１２】
2006144212.tif 000014